(57)【要約】【課題】  異なる通信方式を利用しているネットワーク間のグループ通話を可能とし、利便性を向上させることができるグループ通話システムを提供する。【解決手段】  Ａ網のプレストーク制御サーバ１とＢ網のＬＣＵ５とを接続し、プレストーク制御サーバとはＡ網におけるプロトコルで通信を行い、ＬＣＵ５とはＢ網におけるプロトコルで通信を行うと共に、プレストーク制御サーバ１とＬＣＵ５との間の通信に伴うプロトコル変換を行うＬＣＵプロキシサーバ４を設け、プレストーク制御サーバ１が、ＬＣＵプロキシサーバ４を介してＬＣＵ５との間でグループ通話の制御データを送受信して、Ａ網の端末３とＢ網の端末７との間のグループ通話を制御するグループ通話システムとしている。【選択図】        図１
2009284127.tif 000002
【特許請求の範囲】
【請求項１】
特定の通信方式を用いてプレストークによるグループ通話を実現する第１のネットワークにおいてグループ通話を制御するプレストーク制御サーバと、前記特定の通信方式以外のプレストークでグループ通話を実現する第２のネットワークにおいてグループ通話を制御する回線制御装置とを有するグループ通話システムであって、
前記プレストーク制御サーバと前記回線制御装置とを接続し、前記プレストーク制御サーバとは前記第１のネットワークにおけるプロトコルで通信を行い、前記回線制御装置とは前記第２のネットワークにおけるプロトコルで通信を行うと共に、前記プレストーク制御サーバと前記回線制御装置との間の通信に伴うプロトコル変換を行うプロキシサーバを設け、
前記プレストーク制御サーバが、前記プロキシサーバを介して前記回線制御装置との間でグループ通話の制御データを送受信して、前記第１のネットワークに含まれる端末と前記第２のネットワークに含まれる端末との間のグループ通話を制御し、
グループ通話中に、前記第１のネットワークに含まれる端末から送信権の獲得要求があった場合には、前記プロキシサーバを介して前記回線接続装置に送信権の獲得を要求し、前記回線接続装置から前記プロキシサーバを介して前記第２のネットワークで送信権を獲得していない旨を受信すると、前記要求元の端末に送信権を付与し、前記プロキシサーバを介して前記回線接続装置から送信権の獲得要求があった場合には、前記第１のネットワークに含まれる端末には送信権を付与しないように制御することを特徴とするグループ通話システム。
【発明の詳細な説明】
【技術分野】
【０００１】
本発明は、無線携帯端末を用いたグループ通話システムに係り、特に通信方法の異なるネットワーク間でのグループ通話を可能とするグループ通話システムに関する。
【背景技術】
【０００２】
従来、ＩＰ網上において、複数の無線携帯端末間で半二重多対多の同報通信によるグループ通話を行う方式として、ＰｏＣ（Push-to-Talk over Cellular）を用いたものがある。
ＰｏＣでは、携帯端末をトランシーバのように利用でき、ボタンを押下して話をすると相手に音声が送信されるものであり、予めグループメンバを登録しておくと、電話会議のように同時に複数の端末に送信され、複数の端末が音声を受信するようになっている。ボタンを押下して送話する方法をプレストークという。
【０００３】
ＰｏＣを用いてグループ通話を行うシステムでは、グループ通話の制御サーバが、端末からの要求に応じてグループ通話を開始し、通話中、端末から送信の要求があった場合に、許可可能か否かを判断して当該端末に送信権を許可したり、端末から送信権の解放要求があった場合に送信権を解放するといった送信権の制御を行うようになっている。
また、ＩＰ網ではなく例えばＩＳＤＮ網上においても、別の通信方式を用いてグループ通話を実現するものがあった。
【０００４】
［先行技術文献］
尚、ＰｏＣを用いてグループ通話を行うシステムに関する先行技術としては、「ＰｕｓｈＴａｌｋサービスのシステム開発、ＮＴＴ  ＤｏＣｏＭｏ  テクニカルジャーナル  Ｖｏｌ．１３  Ｎｏ．４，Ｐ６−１３」がある。
【０００５】
【非特許文献１】ＰｕｓｈＴａｌｋサービスのシステム開発、ＮＴＴ  ＤｏＣｏＭｏ  テクニカルジャーナル  Ｖｏｌ．１３  Ｎｏ．４、Ｐ６−１３
【発明の開示】
【発明が解決しようとする課題】
【０００６】
しかしながら、従来のＰｏＣを用いたグループ通話システムでは、ＰｏＣを用いていない別のネットワークの端末も交えてグループ通話を行うことはできず不便であるという問題点があった。
【０００７】
本発明は上記実状に鑑みて為されたもので、異なる通信方式を利用しているネットワーク間のグループ通話を可能とし、利便性を向上させることができるグループ通話システムを提供することを目的とする。
【課題を解決するための手段】
【０００８】
上記従来例の問題点を解決するための本発明は、特定の通信方式を用いてプレストークによるグループ通話を実現する第１のネットワークにおいてグループ通話を制御するプレストーク制御サーバと、特定の通信方式以外のプレストークでグループ通話を実現する第２のネットワークにおいてグループ通話を制御する回線制御装置とを有するグループ通話システムであって、プレストーク制御サーバと回線制御装置とを接続し、プレストーク制御サーバとは第１のネットワークにおけるプロトコルで通信を行い、回線制御装置とは第２のネットワークにおけるプロトコルで通信を行うと共に、プレストーク制御サーバと回線制御装置との間の通信に伴うプロトコル変換を行うプロキシサーバを設け、プレストーク制御サーバが、プロキシサーバを介して回線制御装置との間でグループ通話の制御データを送受信して、第１のネットワークに含まれる端末と第２のネットワークに含まれる端末との間のグループ通話を制御し、グループ通話中に、第１のネットワークに含まれる端末から送信権の獲得要求があった場合には、プロキシサーバを介して回線接続装置に送信権の獲得を要求し、回線接続装置からプロキシサーバを介して第２のネットワークで送信権を獲得していない旨を受信すると、要求元の端末に送信権を付与し、プロキシサーバを介して回線接続装置から送信権の獲得要求があった場合には、第１のネットワークに含まれる端末には送信権を付与しないように制御することを特徴としている。
【発明の効果】
【０００９】
本発明によれば、特定の通信方式を用いてプレストークによるグループ通話を実現する第１のネットワークにおいてグループ通話を制御するプレストーク制御サーバと、特定の通信方式以外のプレストークでグループ通話を実現する第２のネットワークにおいてグループ通話を制御する回線制御装置とを有するグループ通話システムであって、プレストーク制御サーバと回線制御装置とを接続し、プレストーク制御サーバとは第１のネットワークにおけるプロトコルで通信を行い、回線制御装置とは第２のネットワークにおけるプロトコルで通信を行うと共に、プレストーク制御サーバと回線制御装置との間の通信に伴うプロトコル変換を行うプロキシサーバを設け、プレストーク制御サーバが、プロキシサーバを介して回線制御装置との間でグループ通話の制御データを送受信して、第１のネットワークに含まれる端末と第２のネットワークに含まれる端末との間のグループ通話を制御し、グループ通話中に、第１のネットワークに含まれる端末から送信権の獲得要求があった場合には、プロキシサーバを介して回線接続装置に送信権の獲得を要求し、回線接続装置からプロキシサーバを介して第２のネットワークで送信権を獲得していない旨を受信すると、要求元の端末に送信権を付与し、プロキシサーバを介して回線接続装置から送信権の獲得要求があった場合には、第１のネットワークに含まれる端末には送信権を付与しないように制御するグループ通話システムとしているので、既存の第２のネットワークの回線制御装置に特別な機能を加えることなく、プロキシサーバを介することにより通信方式の異なる第１，第２のネットワーク間で制御データのやりとりを行ってグループ通話を実現することができ、利便性を向上させることができる効果がある。
【発明を実施するための最良の形態】
【００１０】
［発明の概要］
本発明の実施の形態について図面を参照しながら説明する。
本発明の実施の形態に係るグループ通話システムは、ＰｏＣを利用したネットワーク（以下「Ａ網」とする）におけるグループ通話を制御するプレストーク制御サーバと、ＰｏＣを利用していないネットワーク（以下「Ｂ網」とする、例えば、自営系無線システム等）におけるグループ通話を制御するＬＣＵ（Line Control Unit）を備え、Ａ網とＢ網との間にＬＣＵプロキシサーバを設け、ＬＣＵプロキシサーバが、ＬＣＵとはＢ網のプロトコルで通信し、Ａ網とＢ網との間のプロトコルの変換を行って、プレストーク制御サーバとはＡ網のプロトコルで通信を行い、プレストーク制御サーバが、Ａ網内の制御と同様にＬＣＵプロキシサーバとセッションを行って、グループ通話における送信権制御を行い、Ａ網とＢ網との間のグループ通話を実現するものであり、大幅に利便性を向上させることができるものである。
【００１１】
［実施の形態のシステム概要：図１］
図１は、本発明の実施の形態に係るグループ通話システム（本システム）の概略説明図である。
図１に示すように、本システムは、ＰｏＣを利用してグループ通話を行うＡ網と、ＰｏＣ以外の通信方法を利用してグループ通話を行うＢ網と、Ａ網とＢ網とを接続するＬＣＵプロキシサーバ４とを備えている。Ａ網は次世代無線通信システムを想定しており、Ｂ網は従来型の自営系無線システムを想定している。そして、Ａ網及びＢ網の端末同士が、それぞれの網内でグループ通話を行う場合と同様に、通信方式の違いを越えてグループ通話を行うことができるものである。尚、ここでは、Ｂ網の通信方式をＩＳＤＮとして説明する。
また、本システムのＡ網は請求項における第１のネットワークに相当しており、Ｂ網は請求項における第２のネットワークに相当している。
【００１２】
Ａ網は、プレストーク制御サーバ１と、ＢＳ（Base Station：無線基地局）２と、ＰＮＣ（Private Network Client：端末）３とを備え、Ｂ網は、ＬＣＵ（Line Control Unit：回線制御装置）５と、ＢＳ６と、ＰＮＣ７とを備えている。
【００１３】
プレストーク制御サーバ１は、Ａ網におけるグループ通話を制御すると共に、本システムの特徴として、ＬＣＵプロキシサーバ４を介して、Ｂ網を含むグループ通話の制御を行う。
ＬＣＵ５は、従来と同様にＢ網のグループ通話の制御を行うものであり、本システムでは、ＬＣＵ５に特別な機能を付加することなくＡ網とのプレストークによるグループ通話が実現されるものである。尚、ＬＣＵ５は、請求項における「回線制御装置」に相当する。
【００１４】
ＬＣＵプロキシサーバ４は、本システムの特徴部分であり、プレストーク制御サーバ１とＬＣＵ５との間でやりとりされる制御データのプロトコル変換を行って、Ａ網とＢ網とを仲介する機能を備えている。ＬＣＵプロキシサーバ４は、請求項における「プロキシサーバ」に相当している。
【００１５】
プレストーク制御サーバ１、ＬＣＵプロキシサーバ４及びＬＣＵ５は、図示は省略するが、コンピュータから成り、主要な構成手段として、ＣＰＵ等から成る制御部と、ハードディスク等から成る記憶部と、制御部のワークメモリとして機能する主メモリと、データのやりとりを行うインタフェース部とを備えている。
そして、制御部が、メモリに記憶されているプログラムを主メモリに展開して起動し、プログラムに従って処理を行うことによって、プレストーク制御サーバ１、ＬＣＵプロキシサーバ４、ＬＣＵ５内の各処理手段による機能が実現されるものである。
【００１６】
Ａ網のＰＮＣ３は、プレストーク端末（無線携帯端末）又は電話端末であり、有線電話機の場合、ＢＳを介さずに後述するＡＮＣＦに接続する。
ＰＮＣ７は、Ｂ網の無線携帯端末である。
ＢＳ２及び６は、それぞれのネットワークにおける移動通信システムの基地局である。
【００１７】
Ａ網のプレストーク制御サーバ１内と、プレストーク制御サーバ１とＬＣＵプロキシサーバ４との間はＩＰ回線によって接続され、ＢＳ２とプレストーク制御サーバ１との間は、ＩＰ回線又はＩＳＤＮ回線で接続されている。ＩＰ回線ではＴＢＣＰ／ＲＴＣＰプロトコルによってセッションが管理されている。
Ｂ網のＬＣＵプロキシサーバ４とＬＣＵ５との間、及びＬＣＵ５とＢＳ６との間はＩＳＤＮ回線で接続されている。また、ＰＮＣ３とＢＳ２、及びＰＮＣ７とＢＳ６との間は無線通信で接続される。
【００１８】
［プレストーク制御サーバ１の処理手段］
プレストーク制御サーバ１は、処理手段として、ＡＮＣＦ（Access Network Controlling Function）、ＰＮＰ（Private Network Proxy）、ＰＴＰＦ（Press-Talk Server Participating Function）、ＰＴＣＦ（Press-Talk Server Control Function）を備えている。
【００１９】
ここで、プレストーク制御サーバ１に設けられた各処理手段について説明する。
ＡＮＣＦは、ＢＳ２からの要求、又はＰＮＰからの要求に応じて、ＰＮＣ３−ＰＮＰ間のアクセスリンクの確立又は解放の制御を行う。また、従来型のＢＳ２が接続されている場合には、ＩＳＤＮプロトコルでこれを制御する。
【００２０】
ＰＮＰは、送信権制御信号をＩＳＤＮメッセージからＴＢＣＰ／ＲＴＣＰへ、又はその反対に変換する。また、メディアフローの制御（帯域割り当て、フィルタリング、ＱｏＳマーキング）を行う。
尚、ＡＮＣＦとＰＮＰはゲートウェイで実現され、ＰＮＰは位置登録されたＰＮＣに対応して作成されるプロキシモジュールである。
【００２１】
ＰＴＰＦは、ＰＮＣ毎の設定情報を記憶しており、設定情報（着信優先度、応答モードが自動か手動か等）に基づいて、プレストーク通信の接続制御を行う。
ＰＴＣＦは、プレストークによるグループ通話を制御するものであり、グループメンバの呼び出し、送信権の管理、ＰＴ（Press Talk）音声パケットの複製と転送を行う。特に、本システムでは、ＬＣＵプロキシサーバ４を介してＬＣＵ５との制御データのやりとりを行って、従来型の通信方式のＢ網を含むグループ通話を実現する。
【００２２】
［ＬＣＵプロキシサーバ４の処理手段］
ＬＣＵプロキシサーバ４は、処理手段として、ＰＴＰＦ（ＬＣＵ）と、ＬＣＵproxy とを備えている。
ＰＴＰＦ（ＬＣＵ）は、Ａ網のプレストーク制御サーバ１のＰＴＣＦとＩＰ回線を介して通信し、ＰＴＣＦに対してＡ網内のＰＴＰＦと同様に振る舞ってグループ通話に必要なセッションを行うものである。
【００２３】
ＬＣＵ proxyは、Ｂ網のＬＣＵ５に接続し、ＬＣＵ５に対してＢ網のＢＳ６や有線電話機と同様にＢ網のプロトコルで通信を行い、ＬＣＵ５から受信するシグナリングとデータ（ＶｏＩＰ、ＰＴ）の振り分けを行う。それと共に、ＬＣＵ proxyは、グループ通話に伴う制御信号について、Ａ網のプロトコル（ＴＢＣＰ／ＲＴＣＰ）とＢ網のプロトコル（ＩＳＤＮ）との間の相互変換を行う。
【００２４】
尚、Ｂ網におけるグループ通話の制御は従来と同様にＬＣＵ５が行う。ＬＣＵプロキシサーバ４を設けたことにより、Ｂ網のＬＣＵ５やＢＳ６に手を加えなくても、Ａ網とＢ網との間でＰｏＣを用いたグループ通話を実現するものである。
【００２５】
［グループ通話の概要］
本システムにおけるグループ通話の制御について説明する前に、グループ通話の概要について説明する。
本システムでは、Ａ網のプレストーク制御サーバ１（のＰＴＣＦ）及びＢ網のＬＣＵ５に、予めグループ通話を行うメンバの識別番号とグループ番号とを対応付けて登録しておく。本システムの特徴として、グループ通話のメンバは、異なるネットワーク内のＰＮＣを含むことが可能である。
【００２６】
例えば、Ａ網とＢ網のメンバで構成されるグループの場合、Ａ網のプレストーク制御サーバ１では、Ａ網が管理するグループ番号（グループ番号ａ）に対応して、Ａ網のメンバとＢ網が管理するグループ番号（グループ番号ｂ）とを記憶しておき、Ｂ網のＬＣＵ５においては、Ｂ網が管理するグループ番号（グループ番号ｂ）に対応して、Ｂ網のメンバと、Ａ網が管理するグループ番号（グループ番号ａ）とを記憶しておく。
【００２７】
そして、例えばＡ網のメンバから、グループ番号ａを含むグループ通話要求が送信されると、プレストーク制御サーバ１は、グループ番号ａに対応して記憶されているＡ網のメンバを呼び出すと共に、ＬＣＵプロキシサーバ４を介してＬＣＵ５に対して、グループ番号ｂを付してグループ通話要求を送信する。ＬＣＵ５は、グループ番号ｂに対応して記憶されているメンバを呼び出す。
【００２８】
そして、プレストーク制御サーバ１及びＬＣＵ５は、応答のあったメンバをそれぞれ同一のグループ呼に設定し、基地局（ＢＳ）が各メンバに無線チャネルを割り当てて、グループ通話が開始されるものである。通話中は、プレストーク制御サーバ１がＡ網とＢ網とのグループ呼の対応付けを行い、ＬＣＵプロキシサーバ４がプロトコルの変換を行ってプレストーク制御サーバ１とＬＣＵ５との通信を仲介することにより、Ａ網から見るとＰｏＣを用いてＢ網とグループ通話が実現でき、Ｂ網から見ると従来のＩＳＤＮを用いてＡ網とグループ通話が実現されることになる。
プレストーク制御サーバ１が行う通話中の送信権制御が本システムの特徴となっており、後で詳細に説明する。
【００２９】
［グループ通話中の機能構成例：図２］
次に、グループ通話中の本システムの機能構成例について図２を用いて説明する。図２は、本システムの機能構成例を示す模式説明図である。
図２に示すように、Ａ網は、プレストーク制御サーバ１に、ＢＳ1、ＢＳ2、ＢＳ3の３個のＢＳ２が接続され、ＢＳ1にはＰＮＣ（Ａ）とＰＮＣ（Ｄ）の２個の端末が位置登録しており、ＢＳ2にはＰＮＣ（Ｂ）が位置登録しており、ＢＳ3にはＰＮＣ（Ｃ）が位置登録している。ＰＮＣ（Ａ）〜ＰＮＣ（Ｄ）は、グループ通話のメンバである。
【００３０】
そして、プレストーク制御サーバ１には、各ＰＮＣに対応するプロキシモジュールが作成されており、ＰＮＣ（Ａ）用としてＰＮＰ（Ａ）及びＰＴＰＦ（Ａ）が作成され、ＡＮＣＦによってＢＳ1に接続されている。
ＰＴＣＦは、ＰＴＰＦ（Ａ）〜ＰＴＰＦ（Ｄ）とのセッションを行って、Ａ網内のグループ通話を制御するが、それと同様にＬＣＵプロキシサーバ４のＰＴＰＦ（ＬＣＵ）と通信を行って、Ａ網とＢ網との間でのグループ通話を制御する。
【００３１】
また、プレストーク制御サーバ１のＴＣＦ（Transcoding Function）は、音声コーデック変換の処理を行うものであり、Ａ網とＢ網それぞれの使用コーデックに応じた音声データを複製する。複製された音声データは、ＰＴＣＦによってグループ通話のメンバに配信されるようになっている。
【００３２】
Ａ網とＢ網とを接続するＬＣＵプロキシサーバ４は、図１に示したものと同様であり、ＰＴＰＦ（ＬＣＵ）と、プロトコル変換を行うＬＣＵ proxyとを備えている。
また、Ｂ網は、ＬＣＵ５とＰＮＣ７とから構成されている。図２の例では、Ｂ網のＰＮＣ７は有線電話機であり、ＢＳを介さずにＬＣＵ５に接続されている。図１のようにＬＣＵ５に接続するＢＳを設けて無線携帯端末のＰＮＣを備えてもよい。
【００３３】
［送信権制御のシーケンス］
次に、図２に示したシステムでグループ通話が開始され、メンバが送信権の獲得を行う際の手順について説明する。
［Ａ網からＢ網に対する送信権の獲得（成功する場合）：図３，図４，図５］
まず、Ａ網からＢ網に対して送信権を要求し、獲得に成功する場合の例について図３〜図５を用いて説明する。図３〜図５は、Ａ網からＢ網に対する送信権の獲得（成功する場合）のシーケンスを示す模式説明図であり、図３、図４、図５は時系列に接続されるものである。
【００３４】
図３に示すように、送話可能状態において、Ａ網のＰＮＣ（Ａ）が送話ボタン押下を検出する（１０１）と、対応する基地局であるＢＳ1を介してプレストーク制御サーバ１のＡＮＣＦ＋ＰＮＰ（Ａ）に「送信権確認」を送信する（１０２）。送信権確認には、送信元端末情報を含まない場合があり、この場合にはＢＳ1からの送信権確認要求であるという情報のみが送信される。
【００３５】
送信権確認要求を受信したＡＮＣＦ＋ＰＮＰ（Ａ）は、送信元ＢＳに対して代表となるメンバを選択する（１０３）。ここでは、該当するグループ通話のメンバとして呼び込まれており、且つＢＳ1に位置登録しているＰＮＣ（Ａ）のＰＮＰ（すなわちＰＮＰ（Ａ））を代表として選択する。
【００３６】
ＡＮＣＦ＋ＰＮＰ（Ａ）は、ＰＴＰＦ（Ａ）に、「Ｔａｌｋ  Ｂｕｒｓｔ  Ｒｅｑｕｅｓｔ」を送信し（１０４）、ＰＴＰＦ（Ａ）は、ＰＴＣＦに「Ｔａｌｋ  Ｂｕｒｓｔ  Ｒｅｑｕｅｓｔ」を送信する（１０５）。
【００３７】
Ａ網内の送信権の管理を行っているＰＴＣＦは、Ａ網内で誰も送信権を獲得していないことを確認し（１０６）、Ａ網のメンバに送信権表示を通知する（１１０）。
それと共に、ＰＴＣＦは、Ｂ網に対して送信権確認を行うため、ＬＣＵプロキシサーバ４のＰＴＰＦ（ＬＣＵ）に「Ｔａｌｋ  Ｂｕｒｓｔ  Ｒｅｑｕｅｓｔ」を送信する（１０７）。
【００３８】
そして、ＰＴＰＦ（ＬＣＵ）はＬＣＵ proxyに「Ｔａｌｋ  Ｂｕｒｓｔ  Ｒｅｑｕｅｓｔ」を送信し（１０８）、ＬＣＵ proxyは、制御データをＢ網のプロトコルに変換してＬＣＵ５に「送信権確認」を送信する（１０９）。
【００３９】
一方、Ａ網のＰＴＣＦは、Ｂ網が送信権確認を行っている間に、他のメンバに送信権表示の通知を行う。
まず、ＰＴＣＦは、ＰＴＰＦ（Ｂ）に「Ｔａｌｋ  Ｂｕｒｓｔ  Ｔａｋｅｎ」を送信し（１１１）、ＰＴＰＦ（Ｂ）がＡＮＣＦ＋ＰＮＰ（Ｂ）に「Ｔａｌｋ  Ｂｕｒｓｔ  Ｔａｋｅｎ」を送信する（１１２）。
【００４０】
ＡＮＣＦ＋ＰＮＰ（Ｂ）は、メンバＢ（ＰＮＣ（Ｂ））のＢＳを特定し（１１３）、メンバＡのＢＳとは異なるＢＳ2であることを確認すると（１１４）、更に当該ＢＳへの送信権表示がまだ行われていないことを確認し（１１５）、ＢＳ2＋ＰＮＣ（Ｂ）にメンバＡが送信権要求中である旨を示す送信権表示を通知する（１１６）。
【００４１】
また、ＰＴＣＦは、ＰＴＰＦ（Ｄ）に「Ｔａｌｋ  Ｂｕｒｓｔ  Ｔａｋｅｎ」を送信し（１１７）、ＰＴＰＦ（Ｄ）がＡＮＣＦ＋ＰＮＰ（Ｄ）に「Ｔａｌｋ  Ｂｕｒｓｔ  Ｔａｋｅｎ」を送信する（１１８）。
【００４２】
ＡＮＣＦ＋ＰＮＰ（Ｄ）は、メンバＤ（ＰＮＣ（Ｄ）のＢＳを特定し（１１９）、メンバＡのＢＳと同一のＢＳ1であることを確認すると（１２０）、当該ＢＳへの送信権表示はメンバＡの送信権獲得が成功するか否かを待って表示を行うため、ここでは送信権表示を通知しない（１２１）。
【００４３】
続いて図４を用いて説明する。
図４に示すように、例えば、ここでＡ網のＰＮＣ（Ｃ）が送話ボタン押下を検出する（１２２）と、基地局ＢＳ3は、プレストーク制御サーバ１のＡＮＣＦ＋ＰＮＰ（Ｃ）に「送信権確認」を送信する（１２３）。ＡＮＣＦ＋ＰＮＰ（Ｃ）は、送信元ＢＳに対して代表となるＰＮＰを選択する。ここではＰＮＣ（Ｃ）のＰＮＰを代表として選択する（１２４）。
【００４４】
そして、ＡＮＣＦ＋ＰＮＰ（Ｃ）は、ＰＴＰＦ（Ｃ）に「Ｔａｌｋ  Ｂｕｒｓｔ  Ｒｅｑｕｅｓｔ」を送信し（１２５）、ＰＴＰＦ（Ｃ）はＰＴＣＦに「Ｔａｌｋ  Ｂｕｒｓｔ  Ｒｅｑｕｅｓｔ」を送信する（１２６）。
【００４５】
ＰＴＣＦは、「Ｔａｌｋ  Ｂｕｒｓｔ  Ｒｅｑｕｅｓｔ」を受信すると、メンバＡが送信権要求中であることを確認し（１２７）、ＰＴＰＦ（Ｃ）に送信権を拒否する「Ｔａｌｋ  Ｂｕｒｓｔ  Ｄｅｎｙ」を送信する（１２８）。
ＰＴＰＦ（Ｃ）は、ＡＮＣＦ＋ＰＮＰ（Ｃ）に「Ｔａｌｋ  Ｂｕｒｓｔ  Ｄｅｎｙ」を送信し（１２９）、ＡＮＣＦ＋ＰＮＰ（Ｃ）は、メンバＣのＢＳを特定し（１３０）、メンバＡと異なるＢＳであること（１３１）、当該ＢＳへの送信権表示を行っていないことを確認すると（１３２）、ＢＳ3＋ＰＮＣ（Ｃ）に、メンバＡが送信権要求中であってメンバＣからの要求は受け付けられない旨を示す送信権表示を通知する（１３３）。
【００４６】
一方、Ａ網における処理とは独立して、Ｂ網のＬＣＵは、ＬＣＵ proxyから送信権確認を受信する（図３の処理１０９）と、Ｂ網の当該グループ通話のメンバが誰も送信権を獲得していないことを確認し（１４０）、Ｂ網内のメンバに送信権表示を通知する（１４１）。
【００４７】
更に、図５を用いて説明する。
そして、Ｂ網のＬＣＵは、ＬＣＵ proxyに「送信権受付」を送信し（１４２）、ＬＣＵ proxyがＡ網のプロトコルに変換して、ＰＴＰＦ（ＬＣＵ）に「Ｔａｌｋ  Ｂｕｒｓｔ  Ｇｒａｎｔｅｄ」を送信し（１４３）、ＰＴＰＦ（ＬＣＵ）がＡ網のＰＴＣＦに「Ｔａｌｋ  Ｂｕｒｓｔ  Ｇｒａｎｔｅｄ」を送信する（１４４）。
【００４８】
ＰＴＣＦは、ＰＴＰＦ（Ａ）に「Ｔａｌｋ  Ｂｕｒｓｔ  Ｇｒａｎｔｅｄ」を送信し（１４５）、ＰＴＰＦ（Ａ）は、ＡＮＣＦ＋ＰＮＰ（Ａ）に「Ｔａｌｋ  Ｂｕｒｓｔ  Ｇｒａｎｔｅｄ」を送信し（１４６）、ＡＮＣＦ＋ＰＮＰ（Ａ）は、メンバＡのＢＳを特定し（１４７）、ＢＳ1＋ＰＮＣ（Ａ）に「送信権受付」を送信する（１４８）。これによりＰＮＣ（Ａ）は送信権が得られる。ここで、ＰＮＣ（Ｄ）には、メンバＡが送信権を得たことを示す送信権表示が送信される。
【００４９】
そして、送信権を得たＰＮＣ（Ａ）から、ＢＳ1、ＡＮＣＦ＋ＰＮＰ（Ａ）、ＰＴＰＦ（Ａ）を介して、音声パケットがＰＴＣＦに送信されると（１４９〜１５１）、ＰＴＣＦは、ＴＣＦに音声データのコーデック変換の指示を出力し（１５２）、グループメンバに、使用コーデックに応じた音声データを複製送信する（１５３）。
【００５０】
ＰＴＣＦは、ＰＴＰＦ（ＬＣＵ）を介してＬＣＵ proxyに音声パケットを送信し（１５４，１５５）、ＬＣＵ proxyが音声データに変換してＬＣＵに送信し（１５６）、Ｂ網では従来と同様にＬＣＵがグループメンバに音声データを配信する。
【００５１】
Ａ網では、ＰＴＣＦが、メンバＢ用として、ＰＴＰＦ（Ｂ）を介してＡＮＣＦ＋ＰＮＰ（Ｂ）に音声パケットを送信し（１６０、１６１）、ＡＮＣＦ＋ＰＮＰ（Ｂ）がメンバＢのＢＳを特定し（１６２）、当該ＢＳへの音声パケット転送がまだ行われていないことを確認すると（１６３）、ＢＳ2＋ＰＮＣ（Ｂ）へ音声パケットを送信する（１６４）。
以下同様にして、ＰＴＣＦは、メンバＣと（１６５〜１６９）、メンバＤへ（１７０〜１７４）音声パケットを送信する。
このようにして、Ａ網からＢ網に対する送信権の獲得が成功する場合のシーケンスが行われるものである。
【００５２】
［Ａ網からＢ網に対する送信権の獲得（失敗する場合）：図６，図７］
次に、Ａ網からＢ網に対して送信権を要求し、獲得に失敗する場合の例について図６，図７を用いて説明する。図６，図７は、Ａ網からＢ網に対する送信権の獲得（失敗する場合）のシーケンスを示す模式説明図であり、図６と図７は時系列に接続されるものである。尚、説明を簡単にするために、ここではＡ網のメンバはＰＮＣ（Ａ）とＰＮＣ（Ｂ）のみであるものとする。
【００５３】
図６に示すように、このシーケンスにおける処理２０１〜処理２１６は、図３に示した処理１０１〜１１６と同一であるため、ここでは詳細な説明を省略し、概略のみ説明する。
送話可能状態において、ＰＮＣ（Ａ）が送話ボタン押下を検出し（２０１）、ＢＳ1、ＡＮＣＦ＋ＰＮＰ（Ａ）、ＡＮＣＦ＋ＰＮＰ（Ａ）、ＰＴＰＦ（Ａ）を介してＰＴＣＦに「Ｔａｌｋ  Ｂｕｒｓｔ  Ｒｅｑｕｅｓｔ」が送信される（２０３〜２０５）。
【００５４】
ＰＴＣＦは、Ａ網内で誰も送信権を獲得していないことを確認し（２０６）、Ａ網のメンバに送信権表示を通知する（２１０）。
それと共に、ＰＴＣＦは、Ｂ網に対して送信権確認を行うため、ＬＣＵプロキシサーバ４のＰＴＰＦ（ＬＣＵ）に「Ｔａｌｋ  Ｂｕｒｓｔ  Ｒｅｑｕｅｓｔ」を送信する（２０７）。
【００５５】
ＰＴＰＦ（ＬＣＵ）は、ＬＣＵ proxyに「Ｔａｌｋ  Ｂｕｒｓｔ  Ｒｅｑｕｅｓｔ」を送信し（２０８）、ＬＣＵ proxyは、制御データをＢ網のプロトコルに変換してＬＣＵ５に「送信権確認」を送信する（２０９）。
【００５６】
ＰＴＣＦは、図３に示したように、Ａ網内のメンバに送信権表示を通知する（２１０〜２１６）。
一方、Ｂ網のＬＣＵは、グループメンバの送信権を確認し、Ｂ網内のいずれかのメンバに送信権が割り当てられていることを確認すると（２２０）、ＬＣＵ proxyに「送信権表示」を送信する（２２１）。
【００５７】
ＬＣＵ proxyは、ＬＣＵから「送信権表示」を受信すると、Ａ網のプロトコルに変換して、「Ｔａｌｋ  Ｂｕｒｓｔ  Ｄｅｎｙ」をＰＴＰＦ（ＬＣＵ）に送信し（２２２）、ＰＴＰＦ（ＬＣＵ）が「Ｔａｌｋ  Ｂｕｒｓｔ  Ｄｅｎｙ」をＡ網のＰＴＣＦに送信する（２２３）。
【００５８】
ＰＴＣＦが、メンバＡ宛に「Ｔａｌｋ  Ｂｕｒｓｔ  Ｄｅｎｙ」を送信すると、ＰＴＰＦ（Ａ）を介してＡＮＣＦ＋ＰＮＰ（Ａ）が受信し（２２４，２２５）、ＡＮＣＦ＋ＰＮＰ（Ａ）がＰＮＣ（Ａ）のＢＳを特定して（２２６）、当該ＢＳ1宛に「送信権表示」を送信する（２２７）。これにより、ＰＮＣ（Ａ）は、送信権を獲得できなかったことを表示する。
【００５９】
続いて図７を用いて説明する。
そして、Ｂ網の、送信権を持っている端末が送話を行うと、音声データがＬＣＵを介してＬＣＵ proxyに入力され（２３０）、ＬＣＵ proxyは音声データを音声パケットに変換してＰＴＰＦ（ＬＣＵ）に送信する（２３１）。ＰＴＰＦ（ＬＣＵ）は、ＰＴＣＦに音声パケットを送信する（２３２）。
【００６０】
そして、ＰＴＣＦが、音声パケットを受信すると、コーデック変換を行って（２３３）、グループメンバに使用コーデックに応じた音声データを複製送信し（２３４）、Ａ網内のメンバＡ（２３５〜２３９）とメンバＢ（２４０〜２４４）に音声パケットを送信する。
このようにして、Ａ網からＢ網に対する送信権の獲得が失敗する場合のシーケンスが行われるものである。
【００６１】
［Ｂ網からＡ網に対する送信権の獲得（成功する場合）：図８］
次に、Ｂ網からＡ網に対して送信権を要求し、獲得に成功する場合の例について図８を用いて説明する。図８は、Ｂ網からＡ網に対する送信権の獲得（成功する場合）のシーケンスを示す模式説明図である。尚、ここでは説明を簡単にするために、Ａ網内のメンバはＰＮＣ（Ａ）のみとしている。
【００６２】
図８に示すように、送話可能状態において、Ｂ網内のメンバが送話ボタンを押下したことをＬＣＵが検出すると（３０１）、ＬＣＵは、「送信権表示」をＬＣＵ proxyに送信し（３０２）、ＬＣＵ proxyが、Ａ網のプロトコルに変換して「Ｔａｌｋ  Ｂｕｒｓｔ  Ｔａｋｅｎ」をＰＴＰＦ（ＬＣＵ）に送信する（３０３）。そして、ＰＴＰＦ（ＬＣＵ）は、Ａ網のＰＴＣＦに「Ｔａｌｋ  Ｂｕｒｓｔ  Ｔａｋｅｎ」を送信する（３０４）。
【００６３】
ＰＴＣＦは、ＰＴＰＦ（ＬＣＵ）から「Ｔａｌｋ  Ｂｕｒｓｔ  Ｔａｋｅｎ」を受信すると、Ａ網内のメンバに送信権表示を通知する（３０５）。
つまり、ＰＴＣＦは、ＰＴＰＦ（Ａ）に「Ｔａｌｋ  Ｂｕｒｓｔ  Ｔａｋｅｎ」を送信し（３０６）、ＰＴＰＦ（Ａ）は、ＡＮＣＦ＋ＰＮＰ（Ａ）に「Ｔａｌｋ  Ｂｕｒｓｔ  Ｔａｋｅｎ」を送信する（３０７）。
【００６４】
ＡＮＣＦ＋ＰＮＰ（Ａ）は、メンバＡのＢＳを特定し（３０８）、当該ＢＳへの送信権表示がまだ行われていない場合に（３０９）、ＢＳ1＋ＰＮＣ（Ａ）宛に「送信権表示」を送信する（３１０）。
【００６５】
そして、送信権を獲得したＢ網内のメンバから音声データが送信されると、ＬＣＵはこれを受信してＬＣＵ proxyに出力し（３１１）、ＬＣＵ proxyは音声パケットに変換してＰＴＰＦ（ＬＣＵ）に送信し（３１２）、ＰＴＰＦ（ＬＣＵ）は、Ａ網のＰＴＣＦに音声パケットを送信する（３１３）。
【００６６】
ＰＴＣＦは、音声パケットを受信して、ＴＣＦに音声データのコーデック変換の指示を出力してコーデック変換を行わせ（３１４）、グループメンバに使用コーデックに応じた音声データを複製送信する（３１５）。
そして、ＰＴＣＦは、音声パケットをＰＴＰＦ（Ａ）、ＡＮＣＦ＋ＰＮＰ（Ａ）、ＢＳ1を介してＰＮＣ（Ａ）に送信する（３１６〜３２０）。
このようにして、Ｂ網からＡ網に対する送信権の獲得が成功する場合のシーケンスが行われるものである。
【００６７】
［Ａ網からのグループ通話送信権解放：図９］
次に、Ａ網から送信権を解放する場合のシーケンスについて図９を用いて説明する。図９は、Ａ網からのグループ通話送信権解放のシーケンスを示す模式説明図である。
図９に示すように、Ａ網のＰＮＣ（Ａ）で送話ボタンの解放が検出されると（４０１）、ＢＳを介してＡＮＣＦ＋ＰＮＰ（Ａ）に「送信権解放」が送信され（４０２）、ＡＮＣＦ＋ＰＮＰ（Ａ）が、送信元ＢＳに対して送信権獲得の段階で代表としたメンバを選択する（４０３）。ここではＰＮＣ（Ａ）のＰＮＰを代表として選択していたとする。
【００６８】
そして、ＡＮＣＦ＋ＰＮＰ（Ａ）は、ＰＴＰＦ（Ａ）に「Ｔａｌｋ  Ｂｕｒｓｔ  Ｒｅｌｅａｓｅ」を送信し（４０４）、ＰＴＰＦ（Ａ）は、ＰＴＣＦに「Ｔａｌｋ  Ｂｕｒｓｔ  Ｒｅｌｅａｓｅ」を送信する（４０５）。
【００６９】
ＰＴＣＦは、Ａ網内のメンバに送信権解放を通知する（４０７）と共に、Ｂ網にも伝えるため、ＰＴＰＦ（ＬＣＵ）に「Ｔａｌｋ  Ｂｕｒｓｔ  Ｒｅｌｅａｓｅ」を送信し（４０６）、ＰＴＰＦ（ＬＣＵ）がＬＣＵ proxyに「Ｔａｌｋ  Ｂｕｒｓｔ  Ｒｅｌｅａｓｅ」を送信する（４０８）。ＬＣＵ proxyは、Ｂ網のプロトコルに変換して、「送信権解放」をＬＣＵに送信する（４０９）。
【００７０】
ＰＴＰＦは、「Ｔａｌｋ  Ｂｕｒｓｔ  Ｉｄｌｅ」を送話者（メンバＡ）以外であるメンバＢに送信し、ＰＴＰＦ（Ｂ）を介して「Ｔａｌｋ  Ｂｕｒｓｔ  Ｉｄｌｅ」がＡＮＣＦ＋ＰＮＰ（Ｂ）に受信される（４１１，４１２）。
ＡＮＣＦ＋ＰＮＰ（Ｂ）は、「Ｔａｌｋ  Ｂｕｒｓｔ  Ｉｄｌｅ」を受信すると、メンバＢのＢＳを特定し（４１３）、当該ＢＳへの送信権解放がまだ為されていない場合（４１４）、ＢＳを介してＰＮＣ（Ｂ）に「送信権解放」を送信する（４１５）。
【００７１】
そして、ＰＴＣＦは、送話者であるメンバＡにＰＴＰＦ（Ａ）を介して「Ｔａｌｋ  Ｂｕｒｓｔ  Ｉｄｌｅ」を送信し（４１６）、ＡＮＣＦ＋ＰＮＰ（Ａ）が「Ｔａｌｋ  Ｂｕｒｓｔ  Ｉｄｌｅ」を受信する（４１７）。そして、ＡＮＣＦ＋ＰＮＰ（Ａ）は、ＢＳを介してＰＮＣ（Ａ）に「送信権解放」を送信する（４１８〜４２０）。
【００７２】
一方、Ｂ網のＬＣＵは、「送信権解放」受信すると（４０９）、送信権を解放し（４１０）、「送信権解放」をＬＣＵ proxyに送信する（４２１）。
ＬＣＵ proxyは、プロトコル変換を行って、「Ｔａｌｋ  Ｂｕｒｓｔ  Ｉｄｌｅ」をＰＴＰＦ（ＬＣＵ）に送信し（４２２）、ＰＴＰＦ（ＬＣＵ）がＡ網のＰＴＣＦに「Ｔａｌｋ  Ｂｕｒｓｔ  Ｉｄｌｅ」を送信する（４２３）。
そして、送話可能状態に移行する。
このようにしてＡ網からの送信権解放のシーケンスが行われるものである。
【００７３】
［Ｂ網からのグループ通話送信権解放：図１０］
次に、Ｂ網から送信権を解放する場合のシーケンスについて図１０を用いて説明する。図１０は、Ｂ網からのグループ通話送信権解放のシーケンスを示す模式説明図である。
図１０に示すように、Ｂ網のＬＣＵが、Ｂ網内のいずれかのメンバからの送話ボタンの解放を検出すると（５０１）、ＬＣＵは「送信権解放」をＬＣＵ proxyに送信し（５０２）、ＬＣＵ proxyが、Ａ網のプロトコルに変換してＰＴＰＦ（ＬＣＵ）に「Ｔａｌｋ  Ｂｕｒｓｔ  Ｉｄｌｅ」を送信する（５０３）。ＰＴＰＦ（ＬＣＵ）は、Ａ網のＰＴＣＦに「Ｔａｌｋ  Ｂｕｒｓｔ  Ｉｄｌｅ」を送信する（５０４）。
【００７４】
ＰＴＣＦは、ＰＴＰＦ（Ａ）に「Ｔａｌｋ  Ｂｕｒｓｔ  Ｉｄｌｅ」を送信し（５０６）、ＰＴＰＦ（Ａ）が、ＡＮＣＦ＋ＰＮＰ（Ａ）に「Ｔａｌｋ  Ｂｕｒｓｔ  Ｉｄｌｅ」を送信する（５０７）。
【００７５】
ＡＮＣＦ＋ＰＮＰ（Ａ）は、ＢＳを介してＰＮＣ（Ａ）に「送信権解放」を送信する（５０８〜５１０）。
そして、送話可能状態に移行する。
このようにしてＢ網からの送信権解放のシーケンスが行われるものである。
【００７６】
［実施の形態の効果］
本発明の実施の形態に係るグループ通話システムによれば、ＰｏＣを用いたプレストークによるグループ通話を行うＡ網と、ＰｏＣを用いずに例えばＩＳＤＮ通信によりグループ通話を行うＢ網との間に、Ａ網とＢ網とを接続するＬＣＵプロキシサーバ４を設け、ＬＣＵプロキシサーバ４が、Ａ網のグループ通話を制御するプレストーク制御サーバ１にＩＰ回線で接続してＡ網のＢＳのように振る舞うＰＴＰＦ（ＬＣＵ）と、Ｂ網のグループ通話を制御するＬＣＵにＩＳＤＮ回線で接続してＢ網のＢＳのように振る舞い、更にＡ網のＴＢＣＰ／ＲＴＣＰプロトコルとＢ網のＩＳＤＮプロトコルとの間でプロトコルの相互変換を行うＬＣＵ proxyとを備えているので、従来型のネットワークであるＢ網のＬＣＵ５に特別な機能を付加することなく、Ａ網とＢ網との間でグループ通話を実現することができ、利便性を向上させることができる効果がある。
【００７７】
また、本システムによれば、プレストーク制御サーバ１が、グループ通話中にＡ網のメンバから送信権獲得の要求があった場合に、ＬＣＵプロキシサーバ４を介してＬＣＵ５に送信権獲得を要求し、ＬＣＵ５からＬＣＵプロキシサーバ４を介してＢ網内のメンバが送信権を獲得していない旨受信すると、送信権の要求元であるＡ網内のメンバに送信権を付与すると共に、Ａ網内の他のメンバに別のメンバが送信権を獲得した旨を示す送信権表示を通知するグループ通話システムとしているので、Ａ網のメンバから送信権の要求があった場合には、Ｂ網の送信権を確認してからＡ網の要求元に送信権を与えることができ、また、Ｂ網に問い合わせている時間を有効に利用してＡ網の要求元以外のメンバに他のメンバが送信権を獲得した旨通知でき、通信方式の異なるネットワーク間において、グループ通話の送信権制御を円滑に行うことができる効果がある。
【００７８】
また、本システムによれば、プレストーク制御サーバ１が、グループ通話中にＬＣＵプロキシサーバ４を介してＬＣＵ５から送信権獲得の要求があった場合には、Ａ網内のメンバにＢ網が送信権獲得した旨を示す送信権表示を通知するグループ通話システムとしているので、Ｂ網からの送信権獲得要求があった場合にはＡ網のメンバに送信権を与えないようにして、円滑なグループ通話を実現することができる効果がある。
【００７９】
また、本システムによれば、プレストーク制御サーバ１が、Ａ網のあるメンバから送信権獲得要求があって、ＬＣＵプロキシサーバ４を介してＬＣＵにＢ網の送信権を問い合わせている際に、Ａ網の別のメンバから送信権獲得要求があった場合には、別のメンバに送信権を与えないようにしているので、送信権制御を円滑に行うことができる効果がある。
【産業上の利用可能性】
【００８０】
本発明は、通信方法の異なるネットワーク間でのグループ通話を可能とするグループ通話システムに適している。
【図面の簡単な説明】
【００８１】
【図１】本発明の実施の形態に係るグループ通話システム（本システム）の概略説明図である。
【図２】本システムの機能構成例を示す模式説明図である。
【図３】Ａ網からＢ網に対する送信権の獲得（成功する場合）のシーケンスを示す模式説明図である。
【図４】Ａ網からＢ網に対する送信権の獲得（成功する場合）のシーケンスを示す模式説明図である。
【図５】Ａ網からＢ網に対する送信権の獲得（成功する場合）のシーケンスを示す模式説明図である。
【図６】Ａ網からＢ網に対する送信権の獲得（失敗する場合）のシーケンスを示す模式説明図である。
【図７】Ａ網からＢ網に対する送信権の獲得（失敗する場合）のシーケンスを示す模式説明図である。
【図８】Ｂ網からＡ網に対する送信権の獲得（成功する場合）のシーケンスを示す模式説明図である。
【図９】Ａ網からのグループ通話送信権解放のシーケンスを示す模式説明図である。
【図１０】Ｂ網からのグループ通話送信権解放のシーケンスを示す模式説明図である。
【符号の説明】
【００８２】
１…プレストーク制御サーバ、  ２…ＢＳ（基地局）、  ３…ＰＮＣ（端末）、  ４…ＬＣＵプロキシサーバ、  ５…ＬＣＵ（回線制御装置）、  ６…ＢＳ、  ７…ＰＮＣ
【図１】
2009284127.tif 000003
【図２】
2009284127.tif 000004
【図３】
2009284127.tif 000005
【図４】
2009284127.tif 000006
【図５】
2009284127.tif 000007
【図６】
2009284127.tif 000008
【図７】
2009284127.tif 000009
【図８】
2009284127.tif 000010
【図９】
2009284127.tif 000011
【図１０】
2009284127.tif 000012